(57)【要約】【課題】  剥離紙や、粘着剤層や剥離剤層を有する透明性シートを備えたこれらの葉書作成用紙において、使用者が、用紙を２つに折り曲げて接着状態にする際に、重ね合わされた用紙にしわが生じることを防止することができる葉書作成用紙を提供する。【解決手段】  折り用ミシン線を介して情報記入用紙片と情報隠蔽用紙片とが連接された基紙と、前記情報隠蔽用紙片上に、接着剤層と、上面に透明な粘着剤層及び下面に剥離剤層を有する透明性シートと、剥離紙とが順次重ねられてなる葉書作成用紙であって、前記情報記入用紙片が、前記折り用ミシン線が形成されている端部側から、対向する他端部側に対して、該情報記入用紙片の折り方向と反対方向に反った形状を有していることを特徴とする。【選択図】        図1
2006044121.tif 000002
【特許請求の範囲】
【請求項１】
折り用ミシン線を介して情報記入用紙片と情報隠蔽用紙片とが連接された基紙と、前記情報隠蔽用紙片上に、接着剤層と、上面に透明な粘着剤層及び下面に剥離剤層を有する透明性シートと、剥離紙とが順次重ねられてなる葉書作成用紙であって、
前記情報記入用紙片が、前記折り用ミシン線が形成されている端部側から、対向する他端部側に対して、該情報記入用紙片の折り方向と反対方向に反った形状を有していることを特徴とする葉書作成用紙。
【請求項２】
折り用ミシン線を介して情報記入用紙片と情報隠蔽用紙片とが連接された基紙と、前記情報隠蔽用紙片上に、剥離剤層と、上面に透明な粘着剤層及び下面に接着剤層を有する透明性シートと、剥離紙とが順次重ねられてなる葉書作成用紙であって、
前記情報記入用紙片が、前記折り用ミシン線が形成されている端部側から、対向する他端部側に対して、該情報記入用紙片の折り方向と反対方向に反った形状を有していることを特徴とする葉書作成用紙。
【発明の詳細な説明】
【技術分野】
【０００１】
本発明は、郵送された葉書が受取人に渡る前に、その葉書に記入された情報が第三者に盗み見られることを防止するため隠蔽状態として送れるようにした葉書作成用紙に関し、特に、用紙を２つ折りして隠蔽状態となるように接着する際に、用紙にしわが生じないようにした葉書作成用紙に関する。
【背景技術】
【０００２】
従来、郵送された葉書に記載された内容が、受取人に渡る前の段階で、第三者に盗み見られないように工夫された隠蔽葉書が種々開発され、既に使用されている。
これらの隠蔽葉書については、例えば、葉書サイズの略２倍の折り畳み用紙を用いて、この折り畳み用紙の折り畳み予定面側に、一時的に折り畳んだ折り畳み用紙を接着状態にすると共に、葉書の受取人が、その葉書を受け取った後に、いつでもその折り畳み用紙を見開けられるように、折り畳んだ折り畳み用紙の間に、剥離紙や、粘着剤層や剥離剤層を有する透明性シートなどを設けた構成の葉書作成用紙が知られている。（例えば、特許文献１及び２、参照）
【特許文献１】特開平１０−２６４５５９号公報
【特許文献２】特開２００４−９７２０号公報
【０００３】
これらの特許文献１及び２に開示された葉書作成用紙、つまり剥離紙や、粘着剤層や剥離剤層を有する透明性シートを備えたこれらの葉書作成用紙では、葉書作成用紙に記入した内容を隠蔽状態にする際に、最初に最上位に設けられている剥離紙を剥離して、透明性シート上に設けられている粘着剤層を露出させた後に、用紙を折り用ミシンから２つに折り曲げて接着状態とする必要がある。
【０００４】
ところが、従来の葉書作成用紙では、２つに折り曲げる用紙に反りが生じている場合があり、その反りの方向が、２つに折り曲げる方向に反っている場合がある。
この場合には、用紙を２つに折り曲げた際に、重ね合わせる用紙が少し山形となり、接着された状態となった時に、内部に空気が入った状態でしわが生じることがあるという問題がある。
【発明の開示】
【発明が解決しようとする課題】
【０００５】
本発明は、剥離紙や、粘着剤層や剥離剤層を有する透明性シートを備えたこれらの葉書作成用紙において、使用者が、用紙を２つに折り曲げて接着状態にする際に、重ね合わされた用紙にしわが生じることを防止することができる葉書作成用紙を提供する。
【課題を解決するための手段】
【０００６】
本発明の葉書作成用紙は、折り用ミシン線を介して情報記入用紙片と情報隠蔽用紙片とが連接された基紙と、前記情報隠蔽用紙片上に、接着剤層と、上面に透明な粘着剤層及び下面に剥離剤層を有する透明性シートと、剥離紙とが順次重ねられてなる葉書作成用紙であって、前記情報記入用紙片が、前記折り用ミシン線が形成されている端部側から、対向する他端部側に対して、該情報記入用紙片の折り方向と反対方向に反った形状を有していることを特徴とする。
【０００７】
また、本発明の葉書作成用紙は、折り用ミシン線を介して情報記入用紙片と情報隠蔽用紙片とが連接された基紙と、前記情報隠蔽用紙片上に、剥離剤層と、上面に透明な粘着剤層及び下面に接着剤層を有する透明性シートと、剥離紙とが順次重ねられてなる葉書作成用紙であって、前記情報記入用紙片が、前記折り用ミシン線が形成されている端部側から、対向する他端部側に対して、該情報記入用紙片の折り方向と反対方向に反った形状を有していることを特徴とする。
【発明の効果】
【０００８】
本発明の葉書作成用紙は、情報記入用紙片が折り方向と反対方向に反った形状を有しているので、基紙を折り用ミシン線から折り畳み、情報隠蔽用紙片の上方に情報記入用紙片を重ね合わせ接着させる際にも、重ね合わされた用紙にしわが生じることを防止することができるという効果がある。
【発明を実施するための最良の形態】
【０００９】
以下、本発明の実施形態に係る葉書作成用紙について、図面に基づいて詳細に説明する。
図１は、本発明の実施形態に係る葉書作成用紙の表側から見た状態を示す斜視図、図２は、図１のＡ−Ａ線断面図、図３は、本発明の実施形態に係る葉書作成用紙の剥離紙の一部を剥離させた状態を示す断面図、図４は、本発明の実施形態に係る葉書作成用紙を用いて形成させた葉書の断面図、図５は、本発明の実施形態に係る葉書作成用紙を用いて形成させた葉書の受取人が葉書を見開いた状態を説明するための断面図、図６は、本発明の実施形態に係る葉書作成用紙を用いて形成させた葉書の受取人が葉書を見開いた状態を説明するための斜視図、図７は、本発明の他の実施形態に係る葉書作成用紙の断面図である。
【００１０】
本発明の実施形態に係る葉書作成用紙１は、図１及び図２に示すように、折り用ミシン線２を介して情報記入用紙片３ａと情報隠蔽用紙片３ｂとが連接されている基紙３を有している。
この情報記入用紙片３ａと情報隠蔽用紙片３ｂとは、それぞれ葉書サイズの寸法を有しており、折り用ミシン線２から２つに折り畳んだ場合に、全体の大きさが葉書サイズの寸法となるように構成されている。
また、情報記入用紙片３ａの上面には、葉書の送り人が所望の情報などを記入するための情報記入欄５が設けられている。
【００１１】
また、情報隠蔽用紙片３ｂの上側には、透明性シート６と剥離紙７とが順次重ねられ、剥離紙７の表面には、葉書の送り人に対して、この葉書作成用紙１を使用する時の使用説明用として、例えば「剥離して下さい！」、「左側から剥離」などの文字が印刷され、葉書の送り人がこの葉書作成用紙１を使用する際に、この剥離紙７を剥がして使用するものであることがわかるようにしてある。
【００１２】
図２に示すように、情報隠蔽用紙片３ｂ上には、接着剤層８が設けられている。
また、透明性シート６の下面には、剥離剤層９が設けられていると共に、透明性シート６の上面には、透明な粘着剤層１０が設けられている。
そして、情報隠蔽用紙片３ｂ上に設けられている接着剤層８と、透明性シート６の下面に設けられている剥離剤層９とが剥離可能な状態で重ね合わされ、更に、透明性シート６の上面に設けられた透明な粘着剤層１０の表面と、この透明性シート６の上側に重ねられた剥離紙７の下面とが剥離可能な状態で重ねられている。
【００１３】
また、情報隠蔽用紙片３ｂは、略平面な状態に形成されているが、情報記入用紙片３ａは、折り用ミシン線が形成されている端部側から、対向する他端部側に対して、情報記入用紙片３ｂの折り方向と反対方向に反った形状を有している。
つまり、情報記入用紙片３ａに形成される反りは、葉書作成用紙１を用いて葉書を作成する際に、折り用ミシン線２から２つに折り畳まれる方向と反対方向に反るように形成されている。
また、情報隠蔽用紙片３ｂの反りは、葉書作成用紙１を製造する段階で加圧、加熱、加湿するなど種々の方法により形成される。
【００１４】
次に、本発明の実施形態に係る葉書作成用紙１を使用する場合の手順について説明する。
まず、葉書作成用紙１の利用者は、情報記入用紙片３ａの情報記入欄５に葉書の受取人に伝えたい所望の内容からなる伝達情報の記入を行なうと共に、葉書作成用紙１の裏面に宛先などの記入を行なう。
【００１５】
次に、図３に示すように、剥離紙７の一端部を指で摘むなどしてめくり上げて剥離させる。
そして、剥離紙７を剥離した後に、折り用ミシン線２から情報記入用紙片３ａを折り畳んで、図４に示すように、情報記入用紙片３ａを透明性シート６の上面に設けられている透明な粘着剤層１０の上に重ね合わせることで、葉書を形成させる。
これにより、情報記入用紙片３ａの情報記入欄５に記載された部分は、情報隠蔽用紙片３ｂが重ね合わされた状態となり、隠蔽状態となり、葉書が受取人に渡るまで秘密状態とすることができる。
そして、この葉書を郵便ポストに投函するなどして郵送させる。
【００１６】
次に、この葉書を受取人が受け取った後、その受取人は、図５及び図６に示すように、情報隠蔽用紙片３ｂの一端部を摘んで、情報隠蔽用紙片３ｂに設けられている接着剤層８と、透明性シート６の剥離剤層９との接着面との間から剥離させる。
これにより、情報記入用紙片３ａの情報記入欄５に記載された内容を、透明性シート６を透かして目視して読み取ることができる。
【００１７】
また、上記の実施形態は、情報隠蔽用紙片３ｂ上に、接着剤層８と、上面に透明な粘着剤層１０及び下面に剥離剤層９を有する透明性シート６と、剥離紙７とが順次重ねられてなる構成の葉書作成用紙であるが、他の実施形態として、図７に示すように、情報隠蔽用紙片３ｂ上に、剥離剤層９と、上面に透明な粘着剤層１０及び下面に接着剤層８を有する透明性シート６と、剥離紙７とが順次重ねられてなる構成の葉書作成用紙を用いてもよい。
この構成であっても、剥離剤層９と接着剤層８との間から剥離するものであり、情報記入用紙片３ａは、折り用ミシン線が形成されている端部側から、対向する他端部側に対して、情報記入用紙片３ｂの折り方向と反対方向に反った形状を有している。
【図面の簡単な説明】
【００１８】
【図１】本発明の実施形態に係る葉書作成用紙の表側から見た状態を示す斜視図である。
【図２】図１のＡ−Ａ線断面図である。
【図３】本発明の実施形態に係る葉書作成用紙の剥離紙の一部を剥離させた状態を示す断面図である。
【図４】本発明の実施形態に係る葉書作成用紙を用いて形成させた葉書の断面図である。
【図５】本発明の実施形態に係る葉書作成用紙を用いて形成させた葉書の受取人が葉書を見開いた状態を説明するための断面図である。
【図６】本発明の実施形態に係る葉書作成用紙を用いて形成させた葉書の受取人が葉書を見開いた状態を説明するための斜視図である。
【図７】本発明の他の実施形態に係る葉書作成用紙の断面図である。
【符号の説明】
【００１９】
１  葉書作成用紙
２  折り用ミシン線
３  基紙
３ａ  情報記入用紙片
３ｂ  情報隠蔽用紙片
５  情報記入欄
６  透明性シート
７  剥離紙
８  接着剤層
９  剥離剤層
１０  透明な粘着剤層
【図１】
2006044121.tif 000003
【図２】
2006044121.tif 000004
【図３】
2006044121.tif 000005
【図４】
2006044121.tif 000006
【図５】
2006044121.tif 000007
【図６】
2006044121.tif 000008
【図７】
2006044121.tif 000009